(57)【要約】  取得部６０は、検査に関する情報を取得する。関連付け部６４は、検体容器の識別情報に、検査に関する情報を関連付ける。ステータス管理部７０は、検体容器の動きに関する情報にもとづいて、検体容器のステータスを設定する。検体容器のステータスは、関連付けられた検査での使用を予約された使用予約ステータスと、関連付けられた検査で使用された使用済みステータスを含んでよい。関連付け部６４が、検体容器の識別情報に、検査に関する情報を関連付けたとき、ステータス管理部７０は、検体容器のステータスを、使用予約ステータスに設定する。
2020121493.tif 000002
【特許請求の範囲】
【請求項１】
識別情報を有する検体容器のステータスを管理する医療情報処理装置であって、
検査に関する情報を取得する取得部と、
前記検体容器の識別情報に、検査に関する情報を関連付ける関連付け部と、
前記検体容器のステータスを設定するステータス管理部と、を備え、
前記ステータス管理部は、前記検体容器の動きに関する情報にもとづいて、前記検体容器のステータスを設定する、
ことを特徴とする医療情報処理装置。
【請求項２】
前記検体容器のステータスは、関連付けられた検査での使用を予約された使用予約ステータスと、関連付けられた検査で使用された使用済みステータスとを含む、
ことを特徴とする請求項１に記載の医療情報処理装置。
【請求項３】
前記関連付け部が、前記検体容器の識別情報に、検査に関する情報を関連付けたとき、前記ステータス管理部は、前記検体容器のステータスを、使用予約ステータスに設定する、
ことを特徴とする請求項２に記載の医療情報処理装置。
【請求項４】
前記ステータス管理部は、前記検体容器と識別情報のリーダとの間の距離に応じて、前記検体容器のステータスを設定する、
ことを特徴とする請求項３に記載の医療情報処理装置。
【請求項５】
前記ステータス管理部は、前記検体容器と識別情報のリーダとの間の距離が変化すると、使用予約ステータスを、別のステータスに変更する、
ことを特徴とする請求項４に記載の医療情報処理装置。
【発明の詳細な説明】
【技術分野】
【０００１】
本発明は、検体容器のステータスを管理する技術に関する。
【背景技術】
【０００２】
特許文献１は、複数の検体容器を収容する複数の収容部を備えた検体ラックを開示する。検体容器は検体情報を記憶するＩＣタグを有し、収容部の底部には、ＩＣタグに記憶された検体情報を受信するアンテナが配置される。各アンテナはＩＣタグＲ／Ｗと接続され、検体情報はアンテナで受信されてＩＣタグＲ／Ｗに読み取られる。
【先行技術文献】
【特許文献】
【０００３】
【特許文献１】特開２００５−９８６３号公報
【発明の概要】
【発明が解決しようとする課題】
【０００４】
病理医が生体組織を確定診断するフローでは、まず検査医が内視鏡等により患者の組織を採取し、採取された組織が検体容器に入れられる。検査終了後、検体容器は病理室に運ばれ、病理技師が、組織から診断に適した部分を切り出して組織標本を作製する。病理医は組織標本を顕微鏡で観察し、病理診断する。【０００５】
検体の取り違えを防止するために、各医療施設で病理検体取り扱いマニュアルが作成されている。マニュアルでは組織を検体容器に入れる工程に関し、患者氏名、患者ＩＤなどの患者情報を記載したラベルを、組織を検体容器に入れる前に容器本体に貼付することが定められている。ラベルの後貼りや、蓋体へのラベル貼付は、取り違え防止の目的から禁止されており、医療スタッフは、貼り付けたラベルの患者情報を確認した後に、採取組織を検体容器に入れる手順が徹底される。【０００６】
しかしながらラベルの印刷や貼付は医療スタッフの手作業によるため、ラベルの紛失や貼付間違いなどのヒューマンエラーは発生しうる。そこで取り扱いマニュアルの遵守とは別に、検体取り違えの可能性を低減する仕組みを構築することが要望されている。
【課題を解決するための手段】
【０００７】
上記課題を解決するために、本発明のある態様は、識別情報を有する検体容器のステータスを管理する医療情報処理装置に関し、医療情報処理装置は、検査に関する情報を取得する取得部と、検体容器の識別情報に、検査に関する情報を関連付ける関連付け部と、検体容器のステータスを設定するステータス管理部とを備える。ステータス管理部は、検体容器の動きに関する情報にもとづいて、検体容器のステータスを設定する。【０００８】
なお、以上の構成要素の任意の組み合わせ、本発明の表現を方法、装置、システム、記録媒体、コンピュータプログラムなどの間で変換したものもまた、本発明の態様として有効である。
【図面の簡単な説明】
【０００９】
【図１】実施例にかかる医療支援システムの構成を示す図である。
【図２】医療情報処理装置の機能ブロックを示す図である。
【図３】検体容器およびトレイの概略断面を示す図である。
【図４】処理装置の機能ブロックを示す図である。
【発明を実施するための形態】
【００１０】
図１は、実施例にかかる医療支援システム１の構成を示す。医療支援システム１は、観察装置１０、医療情報処理装置５０および画像サーバ５２を備え、それらはＬＡＮ（ローカルエリアネットワーク）などのネットワーク２によって相互接続されている。医療情報処理装置５０は、検査に関する情報を管理する管理サーバであってよい。
【００１１】
検査室３には、患者用ベッド４、物を置くための載置台５、検査室用ＲＦＩＤ（radio frequency identifier）タグ８、ＡＰ（アクセスポイント）９および観察装置１０が設けられる。内視鏡検査の開始前、医療スタッフは１つ以上の検体容器２０ａ、２０ｂ（以下、特に区別しない場合には「検体容器２０」と呼ぶ）をトレイ３０に入れて、検査室３内に持ち込み、載置台５に置く。載置台５は、組織を検体容器２０に入れる際の作業台として利用されてもよく、患者用ベッド４から近い位置に配置されることが好ましい。
【００１２】
図１では、１つの検査室３のみを示しているが、医療施設は、複数の検査室を有してよい。ＡＰ９は無線ＬＡＮ機能を有し、無線ＬＡＮ通信機と通信できる。検査室用ＲＦＩＤタグ８は、検査室を識別する識別情報（検査室ＩＤ）を記録しており、ＲＦＩＤリーダを検査室用ＲＦＩＤタグ８に近づけると、検査室ＩＤがＲＦＩＤリーダに読み出される。検査室用ＲＦＩＤタグ８は、検査室３の入口付近に設置されてよい。後述するが、トレイ３０はＲＦＩＤリーダおよび無線ＬＡＮ通信モジュールを備えており、トレイ３０を検査室３に持ち込む医療スタッフは、入室時にＲＦＩＤリーダに検査室用ＲＦＩＤタグ８の検査室ＩＤを読み取らせ、無線ＬＡＮ通信モジュールから検査室ＩＤを医療情報処理装置５０に送信させる。これにより医療情報処理装置５０は、トレイ３０が検査室３に入ったことを認識する。
【００１３】
内視鏡６は観察装置１０に接続される。内視鏡６は、固体撮像素子（たとえばＣＣＤイメージセンサまたはＣＭＯＳイメージセンサ）および信号処理回路を備える。固体撮像素子は入射光を電気信号に変換し、信号処理回路は、固体撮像素子により光電変換された画像データに対して、Ａ／Ｄ変換、ノイズ除去などの信号処理を施して、観察装置１０に出力する。内視鏡６は、検査医がレリーズスイッチを押したタイミングで体内の静止画像を撮影する。
【００１４】
観察装置１０の一つの重要な役割は、内視鏡６により撮影された検査画像を画像サーバ５２に送信して記録させることであり、もう一つの重要な役割は、内視鏡６により取得されている映像をディスプレイ７にリアルタイムで表示させることである。前者の役割において、観察装置１０は、内視鏡６のレリーズスイッチが押されると、内視鏡６の撮影画像に、検査を識別するための識別情報（検査ＩＤ）、撮影時刻を示す撮影時刻情報とを少なくともメタデータとして付加して、検査画像データを生成する。観察装置１０は、画像サーバ５２に検査画像データを送信し、画像サーバ５２は、撮影画像データを記録する。
【００１５】
実施例の医療情報処理装置５０は、検体容器２０のステータスを管理する機能をもつ。検体容器２０は、内視鏡検査等で採取した組織（検体）を入れるためのシャーレや試験管であり、トレイ３０に入れられて検査室３に持ち込まれる。検体容器２０には、原則として１つの検体が入れられるが、同一部位から採取された検体に関しては、複数の検体が検体容器２０に入れられてもよい。
【００１６】
実施例において、医療情報処理装置５０は、検体容器２０を、以下の４つのステータスで管理する。
（１）予約なし
「予約なし」ステータスは、検体容器２０に検査が割り当てられておらず、使用予定のない状態を示す。検体容器２０が容器棚に保管されている状態や、検体容器２０が検査開始前の検査室３に持ち込まれた状態では、検体容器２０のステータスは「予約なし」ステータスとなっている。
（２）使用予約
「使用予約」ステータスは、検体容器２０に検査が割り当てられて、当該検査での使用を予約された状態を示す。検体容器２０に検査が割り当てられると、検体容器２０のステータスは「予約なし」ステータスから「使用予約」ステータスに遷移する。「使用予約」ステータスでは、検体容器２０が実際に使用されるか否かは確定していない。そのため検査で使用されず、検査の割り当てが解除されれば、検体容器２０のステータスが「使用予約」ステータスから「予約なし」ステータスに戻る。
（３）使用可能性有り
「使用可能性有り」ステータスは、検査中に、検体容器２０が使用されている可能性が生じた状態を示す。後述するが、使用されている可能性が生じたことは、トレイ３０に対する検体容器２０の動きに関する情報にもとづいて判定される。一例として、トレイ３０に入れられていた検体容器２０が、トレイ３０から取り出されると、検体容器２０のステータスは「使用予約」ステータスから「使用可能性有り」ステータスに遷移する。
（４）使用済み
「使用済み」ステータスは、検査で使用された状態を示す。検査で使用された状態にあることは、「使用可能性有り」ステータスにあった検体容器２０がトレイ３０に戻されたことにもとづいて判定される。検査終了後、「使用済み」ステータスにある検体容器２０は病理室に運ばれ、組織標本の作製に用いられる。
【００１７】
図２は、医療情報処理装置５０の機能ブロックを示す。医療情報処理装置５０は、取得部６０、検査特定部６２、関連付け部６４、ステータス管理部７０、検査情報記憶部９０およびステータス記憶部９２を備える。ステータス管理部７０は、検体容器２０の動きに関する情報にもとづいて検体容器２０のステータスを設定する機能を備え、特定部７２、動き取得部７４、判定部７６、設定部７８、情報要求部８０および通知部８２を有する。検査情報記憶部９０は、検査情報を記憶し、ステータス記憶部９２は、検体容器２０の最新のステータスを記憶する。
【００１８】
これらの構成はハードウエア的には、任意のプロセッサ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１９】
図３は、検体容器２０およびトレイ３０の概略断面を示す。ここでは２つの検体容器２０ａ、２０ｂがトレイ３０に入れられている。検体容器２０ａは、容器本体２２ａおよび蓋体２４ａを有する。ＲＦＩＤタグ２６ａは、検体容器２０ａの識別情報（容器ＩＤ：petri_dish_a）を記録したＩＣタグであって、容器本体２２ａの底面の凹部領域に取り付けられる。なおＲＦＩＤタグ２６ａは容器本体側面に取り付けられてもよい。ＲＦＩＤタグ２６ａはパッシブタイプのＩＣタグであって、ＲＦＩＤリーダからの電波をエネルギ源として動作してよい。
【００２０】
同様に検体容器２０ｂも、容器本体２２ｂおよび蓋体２４ｂを有する。ＲＦＩＤタグ２６ｂは、検体容器２０ｂの識別情報（容器ＩＤ：petri_dish_b）を記録したＩＣタグであって、容器本体２２ｂの底面の凹部領域に取り付けられる。ＲＦＩＤタグ２６ｂはパッシブタイプのＩＣタグであってよい。以下、特に区別しない場合には、容器本体２２ａ、２２ｂを「容器本体２２」、蓋体２４ａ、２４ｂを「蓋体２４」、ＲＦＩＤタグ２６ａ、２６ｂを「ＲＦＩＤタグ２６」と呼ぶこともある。
【００２１】
トレイ３０は、上面を開放した比較的底の浅い収納容器であり、底面にＲＦＩＤリーダ３２および処理装置３４を取り付けられる。ＲＦＩＤリーダ３２および処理装置３４は、図示しない電力源から電力を供給される。ＲＦＩＤリーダ３２は周囲に電波を発射し、ＲＦＩＤタグ２６ａ、２６ｂからの反射波を受信する。ＲＦＩＤタグ２６ａからの反射波には容器ＩＤ（petri_dish_a）が含まれ、ＲＦＩＤタグ２６ｂからの反射波には容器ＩＤ（petri_dish_b）が含まれる。ＲＦＩＤリーダ３２は、受信した反射波から容器ＩＤを読み取り、容器ＩＤを、そのときの受信強度とともに処理装置３４に供給する。なおトレイ３０は、検体容器２０を収納する容器の一例であり、他の種類の収納容器に、ＲＦＩＤリーダ３２および処理装置３４が設けられてもよい。
【００２２】
図４は、処理装置３４の機能ブロックを示す。処理装置３４は、取得部４０、距離推定部４２および通信部４４を備える。通信部４４は無線ＬＡＮ通信モジュールであり、ＡＰ９と接続する。取得部４０は、ＲＦＩＤリーダ３２から容器ＩＤおよび受信強度を取得する。距離推定部４２は、容器ＩＤで特定される容器本体２２とＲＦＩＤリーダ３２との距離を、受信強度を用いて推定し、推定距離情報を通信部４４に渡す。なお距離推定部４２は、同じ容器本体２２からの反射波の受信強度が所定値ないしは所定割合以上変化したときに、容器本体２２とＲＦＩＤリーダ３２との距離を推定してもよい。これにより受信強度の変化が小さければ、距離推定部４２は距離推定処理をしなくてよいため、電力消費を抑えることができる。
【００２３】
なお距離推定部４２の距離推定機能は、ＲＦＩＤリーダ３２に設けられて、ＲＦＩＤリーダ３２が推定距離を算出してもよい。この場合、ＲＦＩＤリーダ３２は、処理装置３４に、ＲＦＩＤタグ２６の容器ＩＤおよび推定距離情報を供給する。
【００２４】
検査開始前、医療スタッフは、検体容器２０ａ、２０ｂを入れたトレイ３０を検査室３に運び込む。検査室３の入室時、医療スタッフは、トレイ３０を検査室用ＲＦＩＤタグ８に接近させる。検査室用ＲＦＩＤタグ８はパッシブタイプのＩＣタグであり、ＲＦＩＤリーダ３２からの電波を受けて検査室３の識別情報（検査室ＩＤ）をＲＦＩＤリーダ３２に送信する。なお検査室用ＲＦＩＤタグ８はアクティブタイプのＩＣタグであってもよい。検査室用ＲＦＩＤタグ８は、いずれのタイプであってもよく、検査室ＩＤをＲＦＩＤリーダ３２に送信する。
【００２５】
ＲＦＩＤリーダ３２は、受信した検査室３の検査室ＩＤを処理装置３４に供給する。取得部４０が検査室ＩＤを取得すると、通信部４４は医療情報処理装置５０に、トレイ３０の識別情報（トレイＩＤ）とともに、検査室ＩＤを送信する。
【００２６】
図２に戻り、医療情報処理装置５０において、取得部６０が、トレイ３０のトレイＩＤおよび検査室３の検査室ＩＤを取得し、ステータス管理部７０に供給する。特定部７２は、供給されたトレイＩＤおよび検査室ＩＤから、トレイ３０が検査室３に持ち込まれたことを特定する。
【００２７】
トレイ３０が検査室３に持ち込まれたことが特定されると、情報要求部８０は、トレイ３０に対して、トレイ３０に収納されている検体容器２０の識別情報の送信を要求する。処理装置３４において、取得部４０が送信要求を取得すると、通信部４４が、ＲＦＩＤリーダ３２から供給される検体容器２０ａ、２０ｂの容器ＩＤを医療情報処理装置５０に送信する。医療情報処理装置５０において、取得部６０がトレイ３０のトレイＩＤ、検体容器２０ａの容器ＩＤ（petri_dish_a）、検体容器２０ｂの容器ＩＤ（petri_dish_b）を取得し、特定部７２は、トレイ３０に、２つの検体容器２０ａ、２０ｂが収納されていることを特定する。
【００２８】
このとき関連付け部６４は、検査室３において検査が実施されているか判定する。検査が実施されていれば、関連付け部６４は、検査室３で実施されている検査に、検査室３に持ち込まれた検体容器２０ａ、２０ｂを関連付ける。この例では、検査開始前に特定部７２が２つの検体容器２０ａ、２０ｂの容器ＩＤを特定しており、この時点で検査はまだ開始されていない。医療スタッフは、検体容器２０ａ、２０ｂを入れたトレイ３０を検査室用ＲＦＩＤタグ８に接近させた後、載置台５の上に置く。
【００２９】
検査開始前、医療スタッフは、これから実施する検査の検査オーダを特定する。観察装置１０が当日分の検査オーダのリストをディスプレイ７に表示し、医療スタッフがリストの中から１つの検査オーダを選択する。なお検査室３に別の端末装置が設置されて、その端末装置から検査オーダが選択されてもよい。検査オーダは、検査識別情報（検査ＩＤ）、検査予定日、検査種別、患者情報、検査医、検査予定時刻などの検査に関する情報を含んでいる。たとえば患者が患者情報を記録したリストバンドを腕に装着し、リストバンドの患者情報をリーダ装置で読み取ることで、その患者に対して発行されている検査オーダが自動選択されてもよい。
【００３０】
選択された検査オーダの情報は、検査室ＩＤとともに医療情報処理装置５０に送信される。取得部６０は、検査室ＩＤおよび検査オーダの情報を取得し、検査情報記憶部９０に記憶させる。検査オーダの情報は、上記したように、検査ＩＤ、検査予定日、検査種別、患者情報、検査医、検査予定時刻などの検査に関する情報を含む。
【００３１】
検査室３において、内視鏡６が観察装置１０に接続され、観察装置１０の検査開始ボタンが操作されると、観察装置１０は、医療情報処理装置５０に検査開始情報を送信する。取得部６０は検査開始情報を取得すると、検査開始時刻を検査ＩＤに関連付けて検査情報記憶部９０に記憶させる。なお検査終了時、観察装置１０から検査終了情報が送信されると、取得部６０は、検査終了時刻を検査ＩＤに関連付けて検査情報記憶部９０に記憶させる。
【００３２】
取得部６０が検査開始情報を取得すると、関連付け部６４は検査室ＩＤにもとづいて、検体容器２０の容器ＩＤに、検査に関する情報を関連付ける。この例で関連付け部６４は、検体容器２０ａ、２０ｂのそれぞれの容器ＩＤに、検査室３で実施される検査に関する情報を関連付ける。ここで関連付けられる検査に関する情報は、検査ＩＤを含み、さらには患者情報を含んでもよい。容器ＩＤおよび関連付けられた検査に関する情報は、ステータス記憶部９２に記憶されてよい。
【００３３】
関連付け部６４が、検体容器２０の容器ＩＤに、検査に関する情報を関連付けたとき、設定部７８は、検体容器２０のステータスを「使用予約」ステータスに設定する。「使用予約」ステータスは、検体容器２０に検査が割り当てられた状態を示す。ステータス記憶部９２は、医療施設における全ての検体容器２０の最新ステータスを記憶しており、設定部７８は、検体容器２０のステータスを変更すると、ステータス記憶部９２のステータス値を更新する。
【００３４】
情報要求部８０は、トレイ３０に対して、検体容器２０の推定距離情報の送信を要求する。処理装置３４において、取得部４０が送信要求を取得すると、通信部４４が、距離推定部４２で算出した検体容器２０ａ、２０ｂのそれぞれの推定距離情報を医療情報処理装置５０に送信する。医療情報処理装置５０において、取得部６０がトレイ３０のトレイＩＤ、検体容器２０ａの推定距離情報、検体容器２０ｂの推定距離情報を取得し、動き取得部７４に渡す。
【００３５】
動き取得部７４は、検体容器２０の推定距離情報を、トレイ３０のＲＦＩＤリーダ３２に対する検体容器２０の動きに関する情報として取得する。なお実施例では、処理装置３４における距離推定部４２が推定距離を算出しているが、動き取得部７４は、ＲＦＩＤリーダ３２における受信強度を処理装置３４から取得して、検体容器２０ごとに、容器本体２２とＲＦＩＤリーダ３２との距離を推定してもよい。
【００３６】
動き取得部７４は、推定距離情報を周期的に取得してよい。この場合、情報要求部８０は、周期的にトレイ３０に対して、検体容器２０の推定距離情報の送信を要求してよく、また処理装置３４が、周期的に推定距離情報を送信することをプログラミングされていてもよい。なお距離推定部４２が、受信強度が所定値または所定割合以上変化したときに推定距離を算出する場合は、通信部４４は、距離推定部４２で推定距離が算出されるたびに推定距離情報を医療情報処理装置５０に送信し、動き取得部７４が、推定距離情報を取得してよい。
【００３７】
判定部７６は、推定距離情報を用いて、検体容器２０がトレイ３０から取り出されたかどうかを判定する。検体容器２０がトレイ３０から取り出されることは、検体容器２０が、採取した組織の入れ物として使用される可能性が生じていることを意味する。判定部７６は、推定距離情報で示される距離を用いて、検体容器２０がトレイ３０から離れたか否かを判定してよく、また時系列で取得された推定距離の変化量にもとづいて、検体容器２０がトレイ３０から離れたか否かを判定してもよい。
【００３８】
図３を参照して、検体容器２０がトレイ３０に入れられている場合、ＲＦＩＤタグ２６とＲＦＩＤリーダ３２との最大距離は、通常のトレイ３０の大きさであれば３０ｃｍ程度である。絶対距離を判定基準とする場合、判定部７６は、たとえば推定距離が５０ｃｍ以上となると、検体容器２０がトレイ３０から取り出されたことを判定してよい。
【００３９】
また検体容器２０がトレイ３０に入れられている間、ＲＦＩＤタグ２６とＲＦＩＤリーダ３２との距離は基本的に変化しない。そこで判定部７６は、そのときの距離からの変化量が所定値を超えた場合に、検体容器２０がトレイ３０から取り出されたことを判定してもよい。
【００４０】
判定部７６が、検体容器２０がトレイ３０から取り出されたことを判定すると、設定部７８は、検体容器２０のステータスを「使用可能性有り」ステータスに設定し、ステータス記憶部９２のステータス値を更新する。「使用可能性有り」ステータスは、検体容器２０が使用されている可能性が生じた状態を示す。
【００４１】
なおＲＦＩＤリーダ３２によるＩＤ読み取り可能範囲は、ＲＦＩＤリーダ３２から送信される電波強度に応じて調整される。そのため検体容器２０がトレイ３０から取り出されると、ＲＦＩＤリーダ３２に、ＲＦＩＤタグ２６からの反射波が届かない大きさの送信強度が設定されてもよい。ＲＦＩＤリーダ３２が容器ＩＤを受信できなくなると、処理装置３４は、受信できなくなった容器ＩＤを医療情報処理装置５０に送信し、動き取得部７４は、容器ＩＤが受信できなくなったことを、検体容器２０の動きに関する情報として取得する。判定部７６は、容器ＩＤが受信できなくなると、検体容器２０がトレイ３０から取り出されたことを判定してよい。
【００４２】
判定部７６は、「使用可能性有り」ステータスにある検体容器２０がトレイ３０に戻されたか否かを判定する。トレイ３０から離れたことを判定するときの基準と同様に、判定部７６は、トレイ３０に戻されたことを、推定距離情報で示される距離、または時系列で取得された推定距離の変化量にもとづいて判定してよい。たとえば判定部７６は、検体容器２０がトレイ３０から離れる前の推定距離の最小値および最大値を記憶しておき、推定距離が最小値と最大値の範囲内にある場合に、検体容器２０がトレイ３０に戻されたことを判定してよい。
【００４３】
なお、検体容器２０ａ、２０ｂとは異なる容器ＩＤをもつ検体容器２０がトレイ３０に入れられた場合、特定部７２は、管理対象外の検体容器２０がトレイ３０に入れられたことを特定する。ここで管理対象外の検体容器２０は、当該検査室３で実施される検査に関連付けられていない検体容器であり、たとえば他の検査室で実施される検査に関連付けられた容器を含む。このとき通知部８２は、医療スタッフがもつ携帯型端末装置等に、対象外の検体容器２０が入れられたことを通知することが好ましい。
【００４４】
判定部７６が、検体容器２０がトレイ３０に戻されたことを判定すると、設定部７８は、検体容器２０のステータスを「使用済み」ステータスに設定し、ステータス記憶部９２のステータス値を更新する。「使用済み」ステータスは、検体容器２０が検査で使用された状態を示す。
【００４５】
検査終了時、観察装置１０から検査終了情報が送信されると、設定部７８は、当該検査に関連付けられた検体容器２０ａ、２０ｂの最終ステータスを確認する。このとき最終ステータスが「使用予約」または「使用済み」であれば問題ないが、「使用可能性有り」の場合、その検体容器２０はトレイ３０に戻されていない。そこで通知部８２は、医療スタッフがもつ携帯型端末装置等に、検体容器２０がトレイ３０に戻されていないことを通知することが好ましい。
【００４６】
検査終了時のステータスが「使用予約」ステータスである場合、設定部７８は、「使用予約」ステータスを「予約なし」ステータスに変更する。これにより検査への割当は解除され、別の検査に割当可能な状態になる。
【００４７】
以上のようにステータス記憶部９２において検体容器２０の最新のステータスが記憶されることで、検体の取り違えを防止できる。たとえば検体容器２０が病理室に運ばれたとき、病理技師が、ＲＦＩＤリーダで検体容器２０の容器ＩＤを読み取ると、病理室の端末装置に、検体容器２０に関連付けられた検査に関する情報が表示されてよい。これにより仮に検体容器２０に間違ったラベルが貼り付けされていても、管理されている検体容器２０のステータスと異なっていれば、病理技師は、ヒューマンエラーが生じていることに気付ける。
【００４８】
以上、本発明を複数の実施例をもとに説明した。これらの実施例は例示であり、それらの各構成要素や各処理プロセスの組合せにいろいろな変形例が可能なこと、またそうした変形例も本発明の範囲にあることは当業者に理解されるところである。
【００４９】
実施例では、容器本体２２にＲＦＩＤタグ２６を取り付けたが、蓋体２４にもＲＦＩＤタグを取り付けてもよい。距離推定部４２は、容器本体２２とＲＦＩＤリーダ３２との間の推定距離と、蓋体２４とＲＦＩＤリーダ３２との間の推定距離をそれぞれ算出し、通信部４４が、それぞれの推定距離情報を医療情報処理装置５０に送信する。
【００５０】
判定部７６は、容器本体２２の推定距離と蓋体２４の推定距離の関係から、蓋体２４が容器本体２２から外されたか否かを判定する。容器本体２２に組織を入れる際、蓋体２４は必ず容器本体２２から外される。そこで２つの推定距離情報から蓋体２４と容器本体２２の推定距離の差分が所定値を超えたことを条件として、設定部７８は、検体容器２０がトレイ３０に戻されたときに、検体容器２０のステータスを「使用済み」ステータスに設定してもよい。
【００５１】
また実施例では、ＲＦＩＤリーダ３２を、検体容器２０の収納容器であるトレイ３０に取り付けたが、収納容器の載置台５にＲＦＩＤリーダを取り付けてもよい。
【符号の説明】
【００５２】
１・・・医療支援システム、２０ａ，２０ｂ・・・検体容器、２２ａ，２２ｂ・・・容器本体、２６ａ，２６ｂ・・・ＲＦＩＤタグ、３０・・・トレイ、３２・・・ＲＦＩＤリーダ、３４・・・処理装置、４０・・・取得部、４２・・・距離推定部、４４・・・通信部、５０・・・医療情報処理装置、５２・・・画像サーバ、６０・・・取得部、６２・・・検査特定部、６４・・・関連付け部、７０・・・ステータス管理部、７２・・・特定部、７４・・・動き取得部、７６・・・判定部、７８・・・設定部、８０・・・情報要求部、８２・・・通知部、９０・・・検査情報記憶部、９２・・・ステータス記憶部。
【産業上の利用可能性】
【００５３】
本発明は、検体容器を管理する技術に利用できる。
【図１】
2020121493.tif 000003
【図２】
2020121493.tif 000004
【図３】
2020121493.tif 000005
【図４】
2020121493.tif 000006
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
識別情報を有する検体容器のステータスを管理する医療情報処理装置であって、
これから実施される検査に関する情報と、前記検体容器の動きに関する情報と、前記検査の終了に関する情報とを取得する取得部と、
前記検体容器の識別情報に、前記検査に関する情報を関連付ける関連付け部と、
前記検体容器のステータスを設定するステータス管理部と、を備え、
前記取得部が、これから実施される前記検査に関する情報を取得すると、前記ステータス管理部は、前記ステータスを、前記検体容器を他の検査に割り当てることが不可であることを示す使用予約ステータスに設定し、
前記ステータスが前記使用予約ステータスに設定されているときに、前記取得部が、前記検体容器の動きがあったことを示す情報を取得すると、前記ステータス管理部は、前記ステータスを、使用可能性有りステータスに変更し、
前記ステータスが前記使用予約ステータスに設定されているときに、前記取得部が、前記検査の前記終了に関する情報を取得すると、前記ステータス管理部は、前記ステータスを、前記検体容器を他の検査に割り当てることが可能であることを示す予約なしステータスに変更する、
ことを特徴とする医療情報処理装置。
【請求項２】
前記検体容器の前記ステータスは、関連付けられた検査で使用された使用済みステータスを含む、
ことを特徴とする請求項１に記載の医療情報処理装置。
【請求項３】
前記関連付け部が、前記検体容器の識別情報に、前記検査に関する情報を関連付けたとき、前記ステータス管理部は、前記検体容器の前記ステータスを、前記使用予約ステータスに設定する、
ことを特徴とする請求項２に記載の医療情報処理装置。
【請求項４】
前記ステータス管理部は、前記検体容器と識別情報のリーダとの間の距離に応じて、前記検体容器の前記ステータスを設定する、
ことを特徴とする請求項３に記載の医療情報処理装置。
【請求項５】
前記ステータス管理部は、前記検体容器と識別情報の前記リーダとの間の距離が変化すると、前記使用予約ステータスを、別のステータスに変更する、
ことを特徴とする請求項４に記載の医療情報処理装置。
【請求項６】
前記ステータスが前記使用可能性有りステータスに設定されているときに、前記取得部が前記検査の前記終了に関する情報を取得すると、ユーザへの通知を行う通知部を、さらに備える、
ことを特徴とする請求項１に記載の医療情報処理装置。
【請求項７】
前記ステータス管理部は、
前記検体容器を入れるためのトレイと、前記検体容器との距離が離れたときに、前記検体容器の前記ステータスを前記使用予約ステータスから前記使用可能性有りステータスに変更し、
前記ステータスが前記使用可能性有りステータスに変更された後、前記トレイと前記検体容器の距離が近づいたときに、前記検体容器の前記ステータスを前記使用可能性有りステータスから前記使用済みステータスに変更する、
ことを特徴とする請求項５に記載の医療情報処理装置。
【請求項８】
前記ステータスが前記使用可能性有りステータスに設定されているときに、前記取得部が前記検査の前記終了に関する情報を取得すると、ユーザへの通知を行い、
前記ステータスが前記使用済みステータスに設定されているときに、前記取得部が前記検査の前記終了に関する情報を取得すると、ユーザへの通知を行わない通知部を、さらに備える、
ことを特徴とする請求項７に記載の医療情報処理装置。
【請求項９】
前記ステータス管理部は、前記検体容器を入れるためのトレイと、前記検体容器との距離が離れたときに、前記検体容器の前記ステータスを前記使用予約ステータスから前記使用可能性有りステータスに変更し、
前記ステータスが前記使用可能性有りステータスに変更された後、前記トレイと前記検査に関連付けられていない検体容器との距離が近づいたときに、ユーザへの通知を行う通知部を、さらに備える、
ことを特徴とする請求項５に記載の医療情報処理装置。
【請求項１０】
前記ステータスが前記予約なしステータスに設定されているときに、前記関連付け部は、前記検体容器の識別情報に、前記検査に関する情報を関連付けることを特徴とする請求項１に記載の医療情報処理装置。
【請求項１１】
識別情報を有する検体容器のステータスを管理する医療情報管理方法であって、
これから実施される検査に関する情報を取得し、
前記検体容器の識別情報に、前記検査に関する情報を関連付け、
前記検体容器の前記ステータスを、前記検体容器を他の検査に割り当てることが不可であることを示す使用予約ステータスに設定し、
前記ステータスが前記使用予約ステータスに設定されているときに、前記検体容器の動きがあったことを示す情報を取得すると、前記ステータスを、前記使用予約ステータスから使用可能性有りステータスに変更し、
前記ステータスが前記使用予約ステータスに設定されているときに、前記検査の終了に関する情報を取得すると、前記ステータスを、前記使用予約ステータスから、前記検体容器を他の検査に割り当てることが可能であることを示す予約なしステータスに変更する、
ことを特徴とする医療情報管理方法。
【請求項１２】
前記検体容器の前記ステータスは、関連付けられた検査で使用された使用済みステータスを含む、
ことを特徴とする請求項１１に記載の医療情報管理方法。
【請求項１３】
前記検体容器の識別情報に前記検査に関する情報を関連付けたとき、前記検体容器の前記ステータスを、前記使用予約ステータスに設定する、
ことを特徴とする請求項１２に記載の医療情報管理方法。
【請求項１４】
前記検体容器と識別情報のリーダとの間の距離に応じて、前記検体容器の前記ステータスを設定する、
ことを特徴とする請求項１３に記載の医療情報管理方法。
【請求項１５】
前記検体容器と識別情報の前記リーダとの間の距離が変化すると、前記使用予約ステータスを、別のステータスに変更する、
ことを特徴とする請求項１４に記載の医療情報管理方法。
【請求項１６】
前記ステータスが前記使用可能性有りステータスに設定されているときに、前記検査の前記終了に関する情報を取得すると、ユーザへの通知を行う、
ことを特徴とする請求項１１に記載の医療情報管理方法。
【請求項１７】
前記検体容器を入れるためのトレイと、前記検体容器との距離が離れたときに、前記検体容器の前記ステータスを前記使用予約ステータスから前記使用可能性有りステータスに変更し、
前記ステータスが前記使用可能性有りステータスに変更された後、前記トレイと前記検体容器の距離が近づいたときに、前記検体容器の前記ステータスを前記使用可能性有りステータスから前記使用済みステータスに変更する、
ことを特徴とする請求項１５に記載の医療情報管理方法。
【請求項１８】
前記ステータスが前記使用可能性有りステータスに設定されているときに、前記検査の前記終了に関する情報を取得すると、ユーザへの通知を行い、
前記ステータスが前記使用済みステータスに設定されているときに、前記検査の前記終了に関する情報を取得すると、ユーザへの通知を行わない、
ことを特徴とする請求項１７に記載の医療情報管理方法。
【請求項１９】
前記検体容器を入れるためのトレイと、前記検体容器との距離が離れたときに、前記検体容器の前記ステータスを前記使用予約ステータスから前記使用可能性有りステータスに変更し、
前記ステータスが前記使用可能性有りステータスに変更された後、前記トレイと前記検査に関連付けられていない検体容器との距離が近づいたときに、ユーザへの通知を行う、
ことを特徴とする請求項１５に記載の医療情報管理方法。
【請求項２０】
前記ステータスが前記予約なしステータスに設定されているときに、前記検体容器の識別情報に、前記検査に関する情報を関連付ける、
ことを特徴とする請求項１１に記載の医療情報管理方法。
【国際調査報告】
2020121493.tif 000007
2020121493.tif 000008